(57)【要約】  本発明は、分解可能な上部フレーム及び下部フレームを含む電動ベッドフレーム構造に関するものであり、上部フレームはローラを含み、下部フレームはガイドレール溝を含み、上部フレームは下部フレームに対して移動可能であり、下部フレームは、前下部フレーム及び後下部フレームに分解可能であり、前下部フレームは、前下部フレーム本体及び前下部フレーム本体の両側に位置する前下部フレーム取付部を含み、後下部フレームは、後下部フレーム本体及び後下部フレーム本体の両側に位置する後下部フレーム取付部を含み、前下部フレームの前下部フレーム取付部と後下部フレームの後下部フレーム取付部とがネジで接続され、かつ、前下部フレームの前下部フレーム本体と後下部フレームの後下部フレーム本体とが共同で電動ベッド駆動構造を収容するための収容空間を形成する。大きなサイズの電動ベッドの取付と輸送とが実現され、取り付けは速やかであり、かつ、工具無しで取り付けることができる。
2019509782.tif 000002
【特許請求の範囲】
【請求項１】
分解可能な上部フレーム（３）及び下部フレーム（５）を含み、上部フレーム（３）はローラ（４）を含み、下部フレーム（５）はガイドレール溝（６）を含み、上部フレーム（３）が下部フレーム（５）に対して移動可能な電動ベッドフレーム構造であって、
下部フレーム（５）は、前下部フレーム（５１）及び後下部フレーム（５２）に分解可能であり、
前下部フレーム（５１）は、前下部フレーム本体（５１０）及び前下部フレーム本体（５１０）の両側に位置する前下部フレーム取付部（５１５）を含み、
後下部フレーム（５２）は、後下部フレーム本体（５２０）及び後下部フレーム本体（５２０）の両側に位置する後下部フレーム取付部（５２５）を含み、
かつ、前下部フレーム（５１）の前下部フレーム取付部（５１５）と後下部フレーム（５２）の後下部フレーム取付部（５２５）とがネジで接続され、かつ、前下部フレーム（５１）の前下部フレーム本体（５１０）と後下部フレーム（５２）の後下部フレーム本体（５２０）とが共同で電動ベッド駆動構造を収容するための収容空間（１７）を形成する、電動ベッドフレーム構造。
【請求項２】
接続材（７）を更に含み、前記接続材（７）は、前下部フレーム（５１）の前下部フレーム取付部（５１５）及び後下部フレーム（５２）の後下部フレーム取付部（５２５）の外側を取り囲み、ネジが前記３者を貫通して一体となるように固定されることを特徴とする請求項１に記載の電動ベッドフレーム構造。
【請求項３】
ネジは、電動ベッドの長手方向（Ｘ）に沿って前記接続材（７）、前記前下部フレーム（５１）の前下部フレーム取付部（５１５）、及び前記後下部フレーム（５２）の後下部フレーム取付部（５２５）を貫通することを特徴とする請求項２に記載の電動ベッドフレーム構造。
【請求項４】
電動ベッドの長手方向（Ｘ）及び幅方向（Ｙ）に垂直な鉛直方向（Ｚ）に沿って接続材（７）上に固定されるベッド脚部コンポーネント（８）を更に含むことを特徴とする請求項２に記載の電動ベッドフレーム構造。
【請求項５】
上部フレーム（３）は、分解可能な前上部フレーム（３１）及び後上部フレーム（３２）を含み、前上部フレーム（３１）は、前上部フレーム本体（３１０）及び前上部フレーム取付部（３１５）を含み、後上部フレーム（３２）は、後上部フレーム本体（３２０）及び後上部フレーム取付部（３２５）を含み、前上部フレーム（３１）の前上部フレーム取付部（３１５）と後上部フレーム（３２）の後上部フレーム取付部（３２５）とがネジまたはリベットにより接続されることを特徴とする上記いずれか１項の請求項に記載の電動ベッドフレーム構造。
【請求項６】
前上部フレーム（３１）の前上部フレーム取付部（３１５）と後上部フレーム（３２）の後上部フレーム取付部（３２５）との接続箇所の外側に設置されるとともに、ネジにより一体となるように固定される補強材（９）を更に含むことを特徴とする請求項５に記載の電動ベッドフレーム構造。
【発明の詳細な説明】
【技術分野】
【０００１】
本発明は電動ベッドフレーム構造に関するものであり、特に分解可能な電動ベッドフレーム構造に関する。
【背景技術】
【０００２】
人々の生活水準の向上に伴い、電動ベッドは広範に応用されるようになっている。
【０００３】
既存の電動ベッドは、通常、一体式設計であり、１つの大型のベッドフレームの内部に電線やケーブルにより接続される数多くの機械、電気部品が固定して取り付けられ、かつ、ベッドフレーム上に着脱可能なベッド脚部が更に取り付けられる。
【０００４】
この種の一体型電動ベッドは、構造が複雑であるばかりではなく、サイズが大きく、重量が重い。それにより梱包及び輸送面で不便が生じ、家に搬送する際の困難が増加している。かつ、住宅のエレベータまたは階段の制限を受けるため、一体型電動ベッドは搬送が困難であり、搬送する際の労働強度が極めて大きく増大し、場合によって一部の電動ベッドは家に搬入することができず、電動ベッドの応用が非常に大きな制限を受けることになっている。
【０００５】
そのため、輸送に便利なように、分解可能な電動ベッドフレーム構造が必要とされている。
【発明の概要】
【０００６】
ここで注意すべきは、本発明の目的は、背景技術においてすでに判明している１つまたは複数の欠点を克服することにある点である。
【０００７】
この目的のために、本発明に基づき電動ベッドフレーム構造が提出されており、以下の技術案により実現される。
分解可能な上部フレーム及び下部フレームを含み、上部フレームはローラを含み、下部フレームはガイドレール溝を含み、上部フレームが下部フレームに対して移動可能な電動ベッドフレーム構造であって、
下部フレームは、前下部フレーム及び後下部フレームに分解可能であり、
前下部フレームは、前下部フレーム本体及び前下部フレーム本体の両側に位置する前下部フレーム取付部を含み、
後下部フレームは、後下部フレーム本体及び後下部フレーム本体の両側に位置する後下部フレーム取付部を含み、
かつ、前下部フレームの前下部フレーム取付部と後下部フレームの後下部フレーム取付部とがネジで接続され、かつ、前下部フレームの前下部フレーム本体と後下部フレームの後下部フレーム本体とが共同で電動ベッド駆動構造を収容するための収容空間を形成する。
【０００８】
これらの配置により、分解可能な上部フレーム及び下部フレームと、更に分解可能な前下部フレーム及び後下部フレームとが得られ、独立した梱包・輸送が更に便利となり、かつ、取り付けは簡単である。また、前下部フレームの前下部フレーム本体と後下部フレームの後下部フレーム本体とが共同で電動ベッド駆動構造を収容するための収容空間を形成するため、取付後の電動ベッドの内部構造はよりコンパクトとなる。
【０００９】
本発明の標題に基づく異なる実施例において、本発明者らは以下の配置のうちの１つ及び／または複数に依拠することができる。
更に、接続材を更に含み、前記接続材は、前下部フレームの前下部フレーム取付部及び後下部フレームの後下部フレーム取付部の外側を取り囲み、ネジが前記３者を貫通して一体となるように固定され、電動ベッドの運動過程において形状変化が発生することはない。
【００１０】
更に、ネジは、電動ベッドの長手方向に沿って前記接続材、前記前下部フレームの前下部フレーム取付部及び前記後下部フレームの後下部フレーム取付部を貫通しており、電動ベッドの運動過程において形状変化が発生することはない。
【００１１】
更に、電動ベッドの長手方向及び幅方向に垂直な鉛直方向に沿って接続材上に固定されるベッド脚部コンポーネントを更に含む。
【００１２】
更に、上部フレームは、分解可能な前上部フレーム及び後上部フレームを含み、前上部フレームは、前上部フレーム本体及び前上部フレーム取付部を含み、後上部フレームは、後上部フレーム本体及び後上部フレーム取付部を含み、前上部フレームの前上部フレーム取付部と後上部フレームの後上部フレーム取付部とがネジまたはリベットにより接続されており、電動ベッドの運動過程において形状変化が発生することはない。
【００１３】
更に、前上部フレームの前上部フレーム取付部と後上部フレームの後上部フレーム取付部との接続箇所の外側に設置されるとともに、ネジにより一体となるように固定される補強材を更に含み、電動ベッドの運動過程において形状変化が発生することはなく、より堅牢となっている。
【００１４】
本発明の電動ベッドフレーム構造により、大きなサイズの電動ベッドの取付及び輸送は便利となっており、その主な利点は、取付が速やかで、工具無しで取り付けられる点に現れており、かつ、組付の堅牢性を高めるために、複数種の選択可能な付属材を有している。
【００１５】
ここで理解すべきは、本発明においては、明らかな矛盾または互換性がない場合を除き、すべての特徴、変形方式及び／または具体的な実施例を多種類の組合せに応じて互いに結合することができる点である。
【００１６】
以下の非制限的な説明としての具体的な実施例を閲読するとともに、添付図面を結合することにより、本発明のその他の特徴及び利点は自明のものとなる。
【図面の簡単な説明】
【００１７】
【図１】は本発明の実施例に基づく電動ベッドフレーム構造の下部フレームの組付図である。
【図２】は本発明の別の実施例に基づく電動ベッドフレーム構造の下部フレームの組付図である。
【図３】は本発明の実施例に基づく電動ベッドフレーム構造の上部フレームの組付図である。
【図４】は本発明の別の実施例に基づく電動ベッドフレーム構造の上部フレームの組付図である。
【発明を実施するための形態】
【００１８】
ここで理解すべきは、上記添付図面は真実の比率ではなく、本発明の基本原理を説明するための複数種の好適な特徴の簡略図に過ぎない点である。本発明で公開されている設計面の特徴、例えば、サイズ、方向、位置決め及び形状は、具体的な応用及び使用環境に応じて確定される。
【００１９】
以下においては、実施例及び添付図面に基づき本発明について詳細に説明する。それらの添付図面において、同一の参考番号は、すべての添付図面において本発明の同一または等価な部品を指している。
【００２０】
本発明の電動ベッドフレーム構造は、図１〜２に示されているいずれか１種の下部フレームと、図３〜４に示されているいずれか１種の上部フレームとを結合することができる。
【００２１】
本発明の電動ベッドフレーム構造は、いずれか１種の電動ベッド、特に、例えば２人用電動ベッドのようにサイズが大きな電動ベッドに応用することができる。
【００２２】
本発明の電動ベッドフレーム構造は、分解可能な上部フレーム３及び下部フレーム５を含み、上部フレーム３はローラ４を含み、下部フレーム５はガイドレール溝６を含み、上部フレーム３が下部フレーム５に対して移動可能である。
【００２３】
図１及び２に示されている下部フレーム５において、それは前下部フレーム５１及び後下部フレーム５２に分解可能である。
【００２４】
前下部フレーム５１は、前下部フレーム本体５１０及び前下部フレーム本体５１０の両側に位置する前下部フレーム取付部５１５を含む。前下部フレーム本体５１０は、両側の前下部フレーム取付部５１５の中間に設置される第１横ロッド及び第２横ロッドを含む。第１横ロッド及び第２横ロッドはガイドレール溝６に直接接続される。
【００２５】
後下部フレーム５２は、後下部フレーム本体５２０及び後下部フレーム本体５２０の両側に位置する後下部フレーム取付部５２５を含む。後下部フレーム本体５２０は、両側の後下部フレーム取付部５２５の中間に設置される第３横ロッド及び第４横ロッドを含む。第３横ロッド及び第４横ロッドはガイドレール溝６に直接接続される。
【００２６】
具体的に、前下部フレーム５１の前下部フレーム取付部５１５と後下部フレーム５２の後下部フレーム取付部５２５とはネジで接続され、ネジは、電動ベッドの長手方向に沿って前下部フレーム５１の前下部フレーム取付部５１５と後下部フレーム５２の後下部フレーム取付部５２５とを接続する。かつ、前下部フレーム５１の前下部フレーム本体５１０と後下部フレーム５２の後下部フレーム本体５２０とが共同で電動ベッド駆動構造を収容するための収容空間１７を形成する。当該収容空間１７には、電動ベッドのベッドパネルが反転するように駆動する駆動機構及び駆動器（未表示）を配置することができる。
【００２７】
図２には、別種の改良された下部フレームが示されており、当該改良された下部フレームは直前の実施例における下部フレームに比べ、接続材７を更に含み、前記接続材７は、前下部フレーム５１の前下部フレーム取付部５１５及び後下部フレーム５２の後下部フレーム取付部５２５の外側を取り囲み、ネジが前記３者を貫通して一体となるように固定される。
【００２８】
具体的に、ネジは、電動ベッドの長手方向Ｘに沿って前記接続材７、前記前下部フレーム５１の前下部フレーム取付部５１５及び前記後下部フレーム５２の後下部フレーム取付部５２５を貫通している。
【００２９】
具体的に、下部フレームは、電動ベッドの長手方向Ｘ及び幅方向Ｙに垂直な鉛直方向Ｚに沿って接続材７上に固定されるベッド脚部コンポーネント８を更に含む。
【００３０】
図３及び４に示されている上部フレーム３において、それは前上部フレーム３１及び後上部フレーム３２に分解可能である。
【００３１】
前上部フレーム３１は、前上部フレーム本体３１０及び前上部フレーム取付部３１５を含み、後上部フレーム３２は、後上部フレーム本体３２０及び後上部フレーム取付部３２５を含み、前上部フレーム３１の前上部フレーム取付部３１５と後上部フレーム３２の後上部フレーム取付部３２５とがネジまたはリベットにより接続される。
【００３２】
図４は、別種の改良された上部フレームが示されており、当該改良された上部フレームは直前の実施例における上部フレームに比べ、前上部フレーム３１の前上部フレーム取付部３１５と後上部フレーム３２の後上部フレーム取付部３２５との接続箇所の外側に設置されるとともに、ネジにより一体となるように固定される補強材９を更に含む。
【００３３】
以上の実施例は実例に過ぎず、本発明の範囲に対して限定作用は発揮しない。当業者であれば、それを基礎として、本発明が権利を要求する保護範囲内において、同一の機能を実現するその他の実施形態を想到することもできる。
【００３４】
当業者であれば、複数種の実施例及び複数種の変形や改良を掌握している。特に、ここで明確にすべきは、明らかな矛盾または互換性がない場合を除き、本発明における上記特徴、変形方式及び／または具体的な実施例は相互に結合することができる点である。すべてのそれらの実施例及び変形や改良は、いずれも本発明の保護範囲に属しているものとする。
【図１】
2019509782.tif 000003
【図２】
2019509782.tif 000004
【図３】
2019509782.tif 000005
【図４】
2019509782.tif 000006
【手続補正書】
【提出日】平成30年10月1日(2018.10.1)
【手続補正１】
【補正対象書類名】図面
【補正対象項目名】図１
【補正方法】変更
【補正の内容】
【図１】
2019509782.tif 000007
【手続補正２】
【補正対象書類名】図面
【補正対象項目名】図２
【補正方法】変更
【補正の内容】
【図２】
2019509782.tif 000008
【国際調査報告】
2019509782.tif 000009
2019509782.tif 000010
2019509782.tif 000011
2019509782.tif 000012
2019509782.tif 000013
2019509782.tif 000014